(57)【要約】【課題】複数の基板を接合して形成される導波管内を伝送する電磁波の基板接合面からの漏洩を防止する技術を提供する。【解決手段】  上限周波数と下限周波数との間で時間的に周波数が変わる電磁波において、上限周波数から下限周波数までの範囲から選択される周波数の波長に応じた位置で、導波管から所定の位置に対応した深さを有するチョーク溝を設ける。また、上限周波数から下限周波数までの範囲から選択される周波数とは異なる周波数の波長に応じた位置で、導波管から所定の位置に対応した深さを有するチョーク溝を設ける。これにより、複数の基板の接合面からの電磁波の漏洩を防止できる。【選択図】図３
2011182082.tif 000002
【特許請求の範囲】
【請求項１】
上限周波数と下限周波数との間で時間的に周波数が変わる電磁波を伝送する導波管を連通するように複数の基板が接合された基板構造であって、
前記上限周波数から前記下限周波数までの範囲から選択される第１周波数の前記電磁波の波長をλａ；
前記上限周波数から前記下限周波数までの範囲から選択される前記第１周波数とは異なる第２周波数の前記電磁波の波長をλｂ、
とそれぞれしたとき、
互いに接合される一方の基板における、他方の基板との接合面側の前記導波管から略λａ／４離れた位置に設けられ、略λａ／４の深さを有する第１のチョーク溝と、
前記他方の基板における、前記一方の基板との接合面側の前記導波管から略λｂ／４離れた位置に設けられ、略λｂ／４の深さを有する第２のチョーク溝と、
を備えることを特徴とする基板構造。
【請求項２】
請求項１に記載の基板構造において、
それぞれが前記複数の基板を連通し、互いに平行に伸びる複数の導波管、
を備え、
前記第１のチョーク溝および前記第２のチョーク溝は、前記複数の導波管のそれぞれに関して、隣接する他の導波管が存在する側に設けられることを特徴とする基板構造。
【請求項３】
請求項１または２に記載の基板構造において、
前記第１周波数は、前記下限周波数、
前記第２周波数は、前記上限周波数、
であることを特徴とする基板構造。
【請求項４】
請求項１ないし３のいずれかの基板構造を有する基板体と、
前記基板体に設けられ、前記上限周波数と下限周波数との間で時間的に周波数が変わる電磁波を発生する高周波回路と、
を備えることを特徴とするレーダ装置。
【発明の詳細な説明】
【技術分野】
【０００１】
本発明は、電磁波の漏洩を防止する技術に関する。
【背景技術】
【０００２】
一般に、レーダ装置に備えられる高周波回路で生成された電磁波が送信波としてアンテナから送信される場合や、その送信波が物体に反射して受信波としてアンテナから受信され、高周波回路に伝送する場合、誘電体基板および金属板などの基板に設けられた導波管を通る。このように電磁波の伝送路となる導波管は基板同士を接合して形成される。そして、接合する基板それぞれの反り、および、接合面の凹凸などにより、導波管内を電磁波が伝送する際に、複数の基板を接合した接合面の隙間から電磁波が漏洩するという問題があった。
【０００３】
これに対して、導波管を用いて伝送させる電磁波の自由空間波長をλとして、導波管の開口縁に沿いかつ開口縁からλ／４離れた部位の一部に、λ／４の深さを有するチョーク溝を設ける技術が開示されている。（例えば、特許文献１）
【先行技術文献】
【特許文献】
【０００４】
【特許文献１】特開２００９−２００５９１号公報
【発明の概要】
【発明が解決しようとする課題】
【０００５】
しかしながら、特許文献１の技術では特定の周波数を電気的に短絡させて、電磁波の漏れを防止できるものの、周波数が時間的に変化する電磁波の場合には、特定の周波数以外の周波数の基板接合面の隙間からの電磁波の漏れを電気的に短絡させられない。そのため、周波数が時間的に変化する電磁波の場合に基板接合面の隙間からの電磁波の漏れを十分に防止できないという問題があった。
【０００６】
本発明は、上記課題に鑑みてなされたものであり、複数の基板を接合して形成される導波管内を伝送する電磁波の基板接合面からの漏洩を防止できる技術を提供することを目的とする。
【課題を解決するための手段】
【０００７】
上記課題を解決するため、請求項１の発明は、上限周波数と下限周波数との間で時間的に周波数が変わる電磁波を伝送する導波管を連通するように複数の基板が接合された基板構造であって、前記上限周波数から前記下限周波数までの範囲から選択される第１周波数の前記電磁波の波長をλａ；前記上限周波数から前記下限周波数までの範囲から選択される前記第１周波数とは異なる第２周波数の前記電磁波の波長をλｂ、とそれぞれしたとき、互いに接合される一方の基板における、他方の基板との接合面側の前記導波管から略λａ／４離れた位置に設けられ、略λａ／４の深さを有する第１のチョーク溝と、前記他方の基板における、前記一方の基板との接合面側の前記導波管から略λｂ／４離れた位置に設けられ、略λｂ／４の深さを有する第２のチョーク溝とを備える。
【０００８】
また、請求項２の発明は、請求項１に記載の基板構造において、それぞれが前記複数の基板を連通し、互いに平行に伸びる複数の導波管を備え、前記第１のチョーク溝および前記第２のチョーク溝は、前記複数の導波管のそれぞれに関して、隣接する他の導波管が存在する側に設けられる。
【０００９】
また、請求項３の発明は、請求項１または２に記載の基板構造において、前記第１周波数は、前記下限周波数、前記第２周波数は、前記上限周波数である。
【００１０】
さらに、請求項４の発明は、請求項１ないし３のいずれかの基板構造を有する基板体と、前記基板体に設けられ、上限周波数と下限周波数との間で時間的に周波数が変わる電磁波を発生する高周波回路とを備える。
【発明の効果】
【００１１】
請求項１ないし４の発明によれば、  第１のチョーク溝と第２のチョーク溝とが、それぞれ特定の周波数の波長に対応する電磁波を短絡させる。これにより、時間的に周波数が変わる電磁波の送受信を行う場合に、接合した基板同士の接合面の隙間から電磁波が漏れることを防止できる。
【００１２】
また、特に請求項２の発明によれば、第１のチョーク溝および第２のチョーク溝が複数の導波管のそれぞれに関して、隣接する他の導波管が存在する側に設けられることにより、一の導波管を伝送する電磁波が、隣接する他の導波管で伝送される電磁波に影響を与えることを防止できる。
【００１３】
また、特に請求項３の発明によれば、上限周波数と下限周波数との間で時間的に周波数が変わる電磁波の漏れを有効に防止できる。
【００１４】
また、特に請求項４の発明によれば、周波数変調に基づいたチョーク構造を備えた基板構造を用いて、導波管内部での電磁波の送受信を行うため電磁波の漏洩を防止でき、精度の高い物体の検知が可能となる。
【図面の簡単な説明】
【００１５】
【図１】図１は、第１の基板体の構成を示した図である。
【図２】図２は、図１のII−II位置からみた基板体の断面図である。
【図３】図３は、図２の基板構造の一部を拡大して示した図である。
【図４】図４は、図１のIV−IV位置からみた基板体の断面図である。
【図５】図５は、第２の基板体の構成を示した図である。
【図６】図６は、図５のVI−VI位置からみた基板体の断面図である。
【図７】図７は、第３の基板体の構成を示した図である。
【図８】図８は、図７のVIII−VIII位置からみた基板体の断面図である。
【図９】図９は、レーダ装置の概観図である。
【発明を実施するための形態】
【００１６】
以下、図面を参照しつつ本発明の実施の形態について説明する。
【００１７】
＜第１の実施の形態＞
図１は、第１の実施の形態の基板体の構成を示した図である。また、図２は図１のII−II位置からみた基板体１の断面図である。この基板体１は複数の基板を積層した状態で互いに結合した基板構造を有している。なお、以下においては、図中に示すＸＹＺの直交座標軸を用いて方向を適宜示す。このＸＹＺの直交座標軸は基板体１に対して相対的に固定されるものであり、基板体１の長手方向がＸ軸方向、基板体１の複数の基板が積層される方向がＹ軸方向、基板体１の短手方向がＺ軸方向にそれぞれ対応する。
【００１８】
基板体１は複数の基板が積層されている上段側（−Ｙ方向）に高周波回路基板１１ａを備えており、高周波回路基板１１ａの裏面側（＋Ｙ方向）に他の基板との接合面を有している。そして、基板の裏面には電圧制御発振器（ＶＣＯ；Ｖｏｌｔａｇｅ  Ｃｏｎｔｒｏｌｌｅｄ  Ｏｓｃｉｌｌａｔｏｒ）１０１、高周波回路部（ＭＭＩＣ；Ｍｏｎｏｌｉｔｈｉｃ  Ｍｉｃｒｏｗａｖｅ  Ｉｎｔｅｇｒａｔｅｄ  Ｃｉｒｃｕｉｔ１０２、伝送線路１０３、導波管１０５、および、チョーク溝１０６ａが設けられている。
【００１９】
ここで、基板体１は複数の基板を積層して構成され、上限周波数と下限周波数との間で時間的に周波数が変わる電磁波を伝送する導波管１０５を連通するように複数の基板が接合されている。また以下、基板とは誘電体基板および金属基板などの各種プレートをいう。
【００２０】
電圧制御発振器１０１は、三角波の周波数変調信号に従って、周波数変調された電磁波を高周波回路部１０２に出力する。例えば３８ＧＨｚを中心周波数として周波数変調された電磁波を高周波回路１０２に出力する。
【００２１】
高周波回路部１０２は、電圧制御発振器１０１からの出力電力を逓倍および増幅して、伝送路１０３を介して、導波管１０５に電磁波を伝送する。なお、本実施の形態では、電圧制御発信器１０１からの３６ＧＨｚを中心周波数とする周波数変調した電磁波の周波数を逓倍して、７６．５ＧＨｚを中心周波数とし、上限周波数を７６．７ＧＨｚ、および、下限周波数を７６．３ＧＨｚする電磁波に基づいて説明を行うが、これ以外の周波数を中心周波数とし、任意の上限周波数、および、下限周波数の間で周波数変調を行ってもよい。
【００２２】
伝送線路１０３は、送信の場合は高周波回路部１０２からの電磁波を導波管１０５へ伝送し、受信の場合は導波管１０５からの電磁波を高周波回路部１０２へ伝送する線路である。
【００２３】
導波管１０５は、アンテナ基板１３ａから電磁波を送信する場合には高周波回路部１０２から伝送路１０３を介したアンテナ基板１３ａまでの伝送路となる。また、電磁波を受信する場合にはアンテナ基板１３ａから伝送路１０３を介した高周波回路部１０２までの伝送路となる。
【００２４】
なお、導波管１０５の寸法は伝送する電磁波の周波数帯に応じて異なる。本実施の形態で使用する７６ＧＨｚの周波数帯に基づいた導波管１０５の開口部のおよその大きさは、横方向（Ｚ軸方向）に約２．５ｍｍ、縦方向（Ｘ軸方向）に約１．３ｍｍの寸法となっている。
【００２５】
チョーク溝１０６ａは、高周波回路基板１１ａの他の基板との接合面に設けられた溝であり、導波管１０５の周囲を囲むように設けられている。そして、以下に詳述するように、高周波回路基板１１ａでは他の基板との接合面側に導波管１０５から所定の位置に設けられる。ここで，所定の位置とは、上限周波数と下限周波数との間で時間的に周波数が変わる電磁波において、上限周波数から下限周波数までの範囲から選択される周波数の波長に応じた位置となる。また、チョーク溝１０６ａは導波管１０５から所定の位置に対応した深さを有する。
【００２６】
図２に示すように、基板体１は高周波回路基板１１ａ、金属基板１２ａ、および、アンテナ基板１３ａの複数の基板により構成されている。高周波回路基板１１ａは上記の説明のように、電圧制御発振器１０１、高周波回路部１０２、伝送線路１０３、導波管１０５、および、チョーク溝１０６ａが設けられており、周波数変調される電磁波の生成と送信波および受信波の処理を行う。
【００２７】
金属基板１２ａは高周波回路基板１１ａと後述するアンテナ基板１３ａとの接続を行うための基板であり、高周波回路基板１１ａと直接的に接合され、他の基板の導波管と連通する位置に導波管１０５が設けられている。また、金属基板１２ａの表面側（−Ｙ方向）の高周波回路基板１１ａとの接合面には、導波管１０５からの位置を基準として、高周波回路基板１１ａに設けられたチョーク溝１０６ａの位置とは異なる位置で、チョーク溝１０６ａの深さとは異なる深さのチョーク溝１０６ｂが導波管１０５の周囲を囲むように設けられている。
【００２８】
つまり、高周波回路基板１１ａにも設けられるチョーク溝１０６ａと、金属基板１２ａに設けられるチョーク溝１０６ｂとは、導波管１０５からのチョーク溝までの距離とチョーク溝の深さが異なっており、その距離と深さはそれぞれのチョーク溝が基準とする導波管１０５内を伝送する電磁波の上限周波数から下限周波数までの範囲で選択する異なる周波数に対応している。
【００２９】
その中で、λａを周波数変調する電磁波の上限周波数に基づく波長とし、λｂを周波数変調する電磁波の下限周波数に基づく波長とすることで、上限周波数と下限周波数との間で時間的に周波数が変わる電磁波の漏れを有効に防止できる。
【００３０】
本実施の形態では一例として、下限周波数における波長をλａとし、上限周波数における波長をλｂとして説明する。
【００３１】
下限周波数は７６．３ＧＨｚ、および、上限周波数は７６７ＧＨｚであり、下限周波数の波長（以下、λａともいう。は、光速（約３×１０８ｍ／ｓ）を下限周波数の７６．３ＧＨｚの周波数で除算した値であり、約３．９３ｍｍとなる。
【００３２】
また、上限周波数の波長（以下、λｂともいう。）は、光速（約３×１０８ｍ／ｓ）を上限周波数の７６．７ＧＨｚの周波数で除算した値であり、約３．９１ｍｍとなる。そして、λａおよびλｂそれぞれの１／４の値が導波管からのチョーク溝の位置と深さに対応している。
【００３３】
図２では、高周波回路基板１１ａのチョーク溝１０６ａは導波管１０５から略λａ／４離れた位置に設けられ、略λａ／４の深さを有する。また、金属基板１２ａのチョーク溝１０６ｂは、導波管１０５から略λｂ／４離れた位置に設けられ、略λｂ／４の深さを有する。
【００３４】
そして、これらのチョーク溝１０６ａおよびチョーク溝１０６ｂは、導波管１０５の周囲を囲むように設けられている。このように異なる周波数に基づくチョーク溝をそれぞれの基板の基板接合面に設けることによって、高周波回路基板１１ａと金属基板１２ａとの接合面の隙間を通過する周波数変調された電磁波が、チョーク溝１０６ａおよびチョーク溝１０６ｂにより逆方向に進行する。そして、後に接合面の隙間に侵入してきた進行波とで定在波を発生させ、その定在波の節が接合面の隙間の入口部分に形成されることで、電磁波を電気的に短絡させることができ、隙間から電磁が漏れることを防止できる。
【００３５】
これにより、チョーク溝１０６ａでは、下限周波数に近い電磁波の漏れが防止され、チョーク溝１０６ｂでは上限周波数に近い電磁波の漏れが防止される。したがって、時間的に周波数が変わる電磁波であっても、いずれかのチョーク溝１０６ａ、１０６ｂによって、その漏れが防止できることになる。
【００３６】
なお、本実施の形態では、下限周波数の波長をλａとし、上限周波数の波長をλｂとしてチョーク溝を設けることについて述べたが、上限周波数から下限周波数までの範囲内であれば、いずれの周波数をλａとしてもよい。
【００３７】
また、上限周波数から下限周波数までの範囲内のλａと異なる周波数であれば、いずれの周波数をλｂとしてもよい。さらに、本実施の形態ではチョーク溝の導波管からの位置とその位置からの深さを波長λａおよびλｂの１／４としたが、その奇数倍の値３／４または５／４などとしてもよい。
【００３８】
また、チョーク溝は上述のように約７６ＧＨｚ帯という高周波帯の電磁波で、周波数変調する電磁波の波長に応じた位置に同じ深さを有した溝を設けるものであるが、このようなチョーク溝を基板の同一平面上に複数生成する場合、それぞれのチョーク溝の間隔が非常に近接したものとなり、チョーク溝を設けることが困難となる。しかし、上記のように高周波回路基板１１ａと金属基板１２ａとでそれぞれ別々に異なる周波数に基づいたチョーク溝を生成することで、チョーク溝の加工精度が下げられ製作が容易となる。
【００３９】
図３は上記の図２の基板構造の一部の領域ＲＥを拡大表示した図である。領域ＲＥには高周波回路基板１１ａと金属基板１２ａとの接合面に隙間１０７が形成されている。この隙間１０７は接合する基板それぞれの反り、および、接合面の凹凸などにより基板間の接合面に形成される。
【００４０】
導波管１０５からλａの１／４離れた（＋Ｘ方向の）位置にチョーク溝１０６ａを設ける。このチョーク溝１０６ａの深さ（−Ｙ方向）は導波管１０５からの距離と同じくλａ／４である。
【００４１】
また、導波管１０５からλｂの１／４離れた（＋Ｘ方向の）位置にチョーク溝１０６ｂを設ける。このチョーク溝１０６ｂの深さ（＋Ｙ方向）は導波管１０５からの距離と同じくλｂ／４である。
【００４２】
なお、本実施の形態ではλａ／４とλｂ／４との関係では、波長の長さはλａ＞λｂの関係にあり、λａ／４のチョーク溝１０６ａを高周波回路基板１１ａの裏面側（＋Ｙ方向）に設け、λｂ／４のチョーク溝１０６ｂを金属基板１２ａの表面側（−Ｙ方向）に設けることとしたが、高周波回路基板１１ａの裏面側（＋Ｙ方向）にλｂ／４のチョーク溝１０６ｂを設けて、金属基板１２ａの表面側（−Ｙ方向）にλａ／４のチョーク溝１０６ａを設けてもよい。
【００４３】
図２に戻って、金属基板１２ａの裏面側（＋Ｙ方向）ではアンテナ基板１３ａの電磁波の送受信面（＋Ｙ方向）と逆方向となる背面側（−Ｙ方向）とを接合する。金属基板１２ａの裏面側（＋Ｙ方向）の導波管１０５の周囲は、導波管１０５からλａの１／４離れた位置（＋Ｘ方向および−Ｘ方向）に、波長λａの１／４の深さ（−Ｙ方向）のチョーク溝１０６ａが設けられる。このチョーク溝１０６ａは金属基板１２ａの導波管１０５の周囲を囲むように設けられる。
【００４４】
また、アンテナ基板１３ａのチョーク溝１０６ｂは、導波管１０５からλｂ離れた１／４の位置（＋Ｘ方向および−Ｘ方向）に、波長λｂの１／４の深さ（＋Ｙ方向）に設けられる。このチョーク溝１０６ｂは上方（−Ｙ方向）に設けられた金属基板１２ａの導波管１０５の周囲を囲むように設けられる。
【００４５】
このように基板体１に積層される複数の基板により形成される基板接合面の隙間に周波数変調する電磁波に基づいた複数のチョーク溝が設けられる。これにより、時間的に周波数が変わる電磁波の送受信を行う場合に、接合した基板同士の接合面の隙間から電磁波が漏れることを防止できる。
【００４６】
図４は、図１のIV−IV位置からみた基板体１の断面図である。基板体１は、高周波回路基板１１ａ、金属基板１２ａ、および、アンテナ基板１３ａから構成されている。そして、高周波回路基板１１ａ、および、金属基板１２ａには導波管１０５が備えられており、これらの複数の基板を接合することで連通した導波管１０５が形成される。そして、それぞれの接続面からの電磁波の漏れを防止するために、チョーク溝が設けられている。
【００４７】
高周波回路基板１１ａでは、λａの１／４の波長に基づいて、導波管１０５からλａ／４離れた（＋Ｚ方向および−Ｚ方向）位置に、深さ（−Ｙ方向）λａ／４のチョーク溝１０６ａが導波管１０５の周囲を囲むように設けられる。
【００４８】
また、金属基板１２ａの高周波回路基板１１ａとの接合面である表面側（−Ｙ方向）では、高周波回路基板１１ａのλｂの１／４の波長に基づいて、導波管１０５からλｂ／４離れた（＋Ｚ方向および−Ｚ方向）位置に、深さ（＋Ｙ方向）λｂ／４のチョーク溝１０６ｂが導波管１０５の周囲を囲むように設けられる。
【００４９】
また、金属基板１２ａのアンテナ基板１３ａとの接合面である裏面側（＋Ｙ方向）には、導波管１０５からλａ／４離れた（＋Ｚ方向および−Ｚ方向）位置に、深さ（−Ｙ方向）λａ／４のチョーク溝１０６ａが導波管１０５の周囲を囲むように設けられる。
【００５０】
さらに、アンテナ基板１３ａ背面側（−Ｙ方向）の金属基板１２ａとの接合面には、導波管１０５からλｂ／４離れた（＋Ｚ方向および−Ｚ方向）位置に、深さ（＋Ｙ方向）λｂ／４のチョーク溝１０６ｂが金属基板１２ａの導波管１０５の周囲を囲むように設けられる。
【００５１】
このように複数の基板を接合した場合の接合面のそれぞれに異なる周波数に対応するチョーク溝を導波管の周囲に設けることで、時間的に周波数が変わる電磁波の送受信を行う場合に、接合した基板同士の接合面の隙間から電磁波が漏れることを防止できる。
＜第２の実施の形態＞
図５は第２の実施の形態に関する基板体２の構成を示した図である。以下では、第１の実施の形態で述べた構成と同じ構成については記載を省略し、第１の実施の形態の構成と異なる部分について述べる。基板体２の高周波回路基板１１ｂは高周波回路部１０２から伝送線路１３を介して電磁波を導波管へ伝送する。ここで、上記第１の実施の形態では、１本の伝送路１０３からの電磁波を１つの導波管１０５に伝送する構成であったが、第２の実施の形態では複数の導波管１０５ａ、１０５ｂ、１０５ｃが設けられている。
【００５２】
つまり、図５に示すように伝送路１０３が３本に分岐してそれぞれ導波管１０５ａ、導波管１０５ｂ、および、導波管１０５ｃに電磁波を伝送する。なお、伝送される電磁波の周波数はいずれの導波管でも同じ周波数であり、時間的に周波数が変わる場合にはそれぞれ変調された周波数の電磁波が伝送路１０３から各導波管へ供給される。また、なお本実施の形態では、導波管が３つの場合について述べるが、３つ以外の複数の導波管が設けられている場合に適用できる。
【００５３】
次に図６では、図５のVI−VI位置からみた基板体２の断面図が示されている。高周波回路基板１１ｂ、金属基板１２ｂ、および、アンテナ基板１３ｂの複数の基板を連通し、Ｙ軸方向に沿って互いに平行に伸びる導波管１０５ａ、１０５ｂ、１０５ｃを備えた基板体２が形成されている。
【００５４】
また、複数の基板１１ｂ、１２ｂ、１３ｂを接合した基板構造を有する基板体２には、導波管１０５ａ、導波管１０５ｂ、および、導波管１０５ｃの複数の導波管が設けられており、それぞれの導波管の周囲には、第１の実施の形態で述べた周波数の波長λａとλｂとを逆にしたチョーク溝が設けられている。
【００５５】
具体的には、高周波回路基板１１ｂでは、導波管１０５ａ、導波管１０５ｂ、および、導波管１０５ｃのぞれぞれの周囲を囲むように、導波管１０５ａ、１０５ｂ、１０５ｃからλｂ／４離れた（＋Ｚ方向および−Ｚ方向）位置に、深さ（−Ｙ方向）λｂ／４のチョーク溝１０６ｂを設ける。
【００５６】
また、金属基板１２ｂの高周波回路基板１１ｂとの接合面である表面側（−Ｙ方向）では、導波管１０５ａ、１０５ｂ、１０５ｃからλａ／４離れた（＋Ｚ方向および−Ｚ方向）位置に、深さ（＋Ｙ方向）λａ／４のチョーク溝１０６ａをそれぞれの導波管の周囲を囲むように設ける。
【００５７】
また、金属基板１２ｂのアンテナ基板１３ｂとの接合面である裏面側（＋Ｙ方向）では、導波管１０５ａ、１０５ｂ、１０５ｃからλｂ／４離れた（＋Ｚ方向および−Ｚ方向）位置に、深さ（−Ｙ方向）λｂ／４のチョーク溝１０６ａをそれぞれの導波管の周囲を囲むように設ける。
【００５８】
さらに、アンテナ基板１３ｂの金属基板１２ｂとの接合面側（−Ｙ方向）で導波管１０５ａ、１０５ｂ、１０５ｃからλａ／４離れた（＋Ｚ方向および−Ｚ方向）位置に、深さ（＋Ｙ方向）λａ／４のチョーク溝１０６ａを金属基板１２ｂの導波管１０５の周囲を囲むように設けられる。
【００５９】
このように複数の導波管を備える場合であっても、複数の基板を接合した場合の接合面のそれぞれに異なる周波数に対応するチョーク溝を複数のそれぞれの導波管の周囲に設けることで、時間的に周波数が変わる電磁波の送受信を行う場合に、接合した基板同士の接合面の隙間から電磁波が漏れることを防止できる。
＜第３の実施の形態＞
図７は第３の実施の形態に関する基板体の構成を示した図である。以下では、第１および第２の実施の形態で述べた構成と同じ構成については記載を省略し、第１および第２の実施の形態の構成と異なる部分について述べる。
【００６０】
図７では、基板体３の高周波回路基板１１ｃの複数の導波管１０５ａ、１０５ｂ、１０５ｃにおいて、複数の基板を接合した場合の接合面のそれぞれに異なる周波数に対応するチョーク溝を設ける。
【００６１】
ただし、第２の実施の形態とは異なり、チョーク溝は、複数の導波管のそれぞれに関して、隣接する他の導波管が存在する側のみに設けられる。具体的には、図７の導波管１０５ｂは、隣接する他の導波管１０５ａが−Ｚ方向、および、導波管１０５ｃが＋ｚ方向に存在する。そのため、それぞれの導波管の存在する側にチョーク溝１０６ｂを設ける。つまり、導波管１０５ｂの周囲を囲むようにチョーク溝１０６ｂを設ける。
【００６２】
次に、導波管１０５ａは＋Ｚ方向には隣接する他の導波管１０５ｂが存在するため、チョーク溝１０６ｄを設ける。しかし、−Ｚ方向には隣接する他の導波管１０５ｂが存在しないため、チョーク溝を設けない。つまり、導波管１０５ａにおいて、他の導波管が隣接する側である＋Ｚ方向の導波管１０５ａの周囲の半周以上（導波管１０５aの両方の長辺および他の導波管１０５ｂが隣接する側の短辺）を囲むようにチョーク溝１０６ｄを設ける。
【００６３】
導波管１０５ｃは−Ｚ方向には隣接する他の導波管１０５ｂが存在するため、チョーク溝１０６ｄを設ける。しかし、＋Ｚ方向には隣接する他の導波管が存在しないため、チョーク溝を設けない。つまり、導波管１０５ｃにおいて、他の導波管１０５ｂが隣接する側である−Ｚ方向の導波管１０５ｃの周囲の半周以上（導波管１０５ｃの両方の長辺および他の導波管１０５ｂが隣接する側の短辺）を囲むようにチョーク溝１０６ｄを設ける。
【００６４】
図８は、図７のVIII−VIII位置からみた基板体３の断面図である。高周波回路基板１１ｃの裏面側（＋Ｙ方向）では、導波管１０５ｂからλｂ／４離れた（＋Ｚ方向および−Ｚ方向）位置に、深さ（−Ｙ方向）λｂ／４のチョーク溝１０６ｂを導波管１０５ｂの周囲を囲むように設ける。
【００６５】
高周波回路基板１１ｃの裏面側の導波管１０５ａでは、他の導波管１０５ｂが存在する側（＋Ｚ方向）のλｂ／４離れた位置に、深さ（−Ｙ方向）λｂ／４のチョーク溝１０６ｃを設ける。
【００６６】
高周波回路基板１１ｃの裏面側の導波管１０５ｃでは、他の導波管１０５ｂが存在する側（−Ｚ方向）のλｂ／４離れた位置に、深さ（−Ｙ方向）λｂ／４のチョーク溝１０６ｄを設ける。
【００６７】
また、金属基板１２ｃの高周波回路基板１１ｃとの接合面である表面側（−Ｙ方向）では、導波管１０５ｂからλａ／４離れた（＋Ｚ方向および−Ｚ方向）位置に、深さ（＋Ｙ方向）λａ／４のチョーク溝１０６ａを導波管１０５ｂの周囲を囲むように設ける。
【００６８】
金属基板１２ｃの表面側の導波管１０５ａでは、上限周波数から下限周波数までの範囲から選択される周波数の波長λａの１／４の波長に基づいて、他の導波管が存在する側（＋Ｚ方向）のλａ／４離れた位置に、深さ（−Ｙ方向）λａ／４のチョーク溝１０６ｃを設ける。
【００６９】
金属基板１２ｂの表面側の導波管１０５ｃでは、他の導波管１０５ｂが存在する側（−Ｚ方向）のλａ／４離れた位置に、深さ（−Ｙ方向）λａ／４のチョーク溝１０６ｃを設ける。
【００７０】
また、金属基板１２ｃのアンテナ基板１３ｃとの接合面である裏面側（＋Ｙ方向）では、導波管１０５ｂからλｂ／４離れた（＋Ｚ方向および−Ｚ方向）位置に、深さ（−Ｙ方向）λｂ／４のチョーク溝１０６ｂを導波管１０５ｂの周囲を囲むように設ける。
【００７１】
金属基板１２ｃの裏面側の導波管１０５ａでは、他の導波管１０５ｂが存在する側（＋Ｚ方向）のλｂ／４離れた位置に、深さ（−Ｙ方向）λｂ／４のチョーク溝１０６ｄを設ける。
【００７２】
金属基板１２ｃの裏面側の導波管１０５ｃでは、他の導波管１０５ｂが存在する側（−Ｚ方向）のλｂ／４離れた位置に、深さ（−Ｙ方向）λｂ／４のチョーク溝１０６ｄを設ける。
【００７３】
さらに、アンテナ基板１３ｃ背面側（−Ｙ方向）では導波管１０５ｂからλａ／４離れた（＋Ｚ方向および−Ｚ方向）位置に、深さ（＋Ｙ方向）λａ／４のチョーク溝１０６ａを導波管１０５ｂの周囲を囲むように設ける。
【００７４】
アンテナ１３ｃの背面側に接合される導波管１０５ａでは、他の導波管１０５ｂが存在する側（＋Ｚ方向）のλａ／４離れた位置に、深さ（−Ｙ方向）λａ／４のチョーク溝１０６ｃを設ける。
【００７５】
アンテナ１３ｃの背面側に接合される導波管１０５ｃでは、他の導波管１０５ｂが存在する側（−Ｚ方向）のλａ／４離れた位置に、深さ（−Ｙ方向）λａ／４のチョーク溝１０６ｃを設ける。
【００７６】
このように複数の基板を接合した場合の接合面のそれぞれに異なる周波数に対応するチョーク溝を、隣接する他の導波管が存在する側に設けることで、一の導波管が伝送する電磁波が隣接する他の導波管で伝送される電磁波に影響を与えることを防止できる。また、隣接する導波管がない側にはチョーク溝を設けないことにより、基板加工のコスト低下や加工工程の容易化が図れる。
【００７７】
図９は、レーダ装置５の概観図を示す。この図９に示すようにこれまで述べた基板体１、２、３のいずれかをレーダ装置５に用いることで、周波数変調に対応したチョーク構造を備えた基板構造により、導波管内部での電磁波の伝送時に電磁波の漏洩を防止でき、精度の高い物体の検知が可能となる。
【００７８】
また、上記の実施の形態の基板構造は、アンテナを機械的に走査するメカスキャン方式のレーダ装置であっても、受信した電磁波のアンテナごとの位相の違いにより角度推定を行う電子スキャン方式のレーダ装置であっても用いることができる。
【符号の説明】
【００７９】
１・・・基板体
１１ａ・・・高周波回路基板
１２ａ・・・金属基板
１３ａ・・・アンテナ基板
１０１・・・電圧制御発振器
１０２・・・高周波回路部
１０３・・・伝送路
１０５・・・導波管
１０６ａ・・・チョーク溝
【図１】
2011182082.tif 000003
【図２】
2011182082.tif 000004
【図３】
2011182082.tif 000005
【図４】
2011182082.tif 000006
【図５】
2011182082.tif 000007
【図６】
2011182082.tif 000008
【図７】
2011182082.tif 000009
【図８】
2011182082.tif 000010
【図９】
2011182082.tif 000011